(57)【要約】【課題】検査スタッフに手間を掛けさせることなく、適正ではない処置具の使用にともなう医療事故を確実に防止する。【解決手段】プロセッサのＣＰＵ１０６は、検査の開始が指示されると、対象となる患者の患者情報を情報管理サーバ１６から読み出す。ＣＰＵ１０６は、その患者情報を基に対象患者に該当する禁忌情報１２０ａを禁忌情報ＤＢ１１４から読み出す。禁忌情報１２０ａを読み出したＣＰＵ１０６は、鉗子口に挿通された処置具６０のＲＦＩＤタグ７８に記憶された種別情報８４をタグリーダ８０によって読み取る。ＣＰＵ１０６は、読み出した禁忌情報１２０ｂと種別情報８４とを基に、鉗子口に挿通された処置具６０の使用が禁止されているか否かを判定する。そして、処置具６０の使用が禁止されていると判定した場合、処置具６０を対象患者に対して適正ではないと判断し、報知を行なう。【選択図】図１１
2009195623.tif 000002
【特許請求の範囲】
【請求項１】
処置具が挿通される挿通チャンネルが設けられた内視鏡と、
前記挿通チャンネルに挿通された前記処置具の種別情報を前記処置具に設けられた種別情報記憶手段から読み取る読取手段と、
前記読取手段が読み取った前記種別情報を基に、前記挿通チャンネルに挿通された前記処置具が適正か否かを判定する判定手段と、
前記判定手段の判定結果を報知する報知手段とを備えたことを特徴とする内視鏡検査システム。
【請求項２】
病歴又は体質を示す情報と、これらに対して使用を禁止する前記処置具の種別とを関連付けた禁忌情報を記憶する禁忌情報記憶手段を備え、
前記判定手段は、検査対象となる患者の禁忌情報と前記種別情報とを基に、前記挿通チャンネルに挿通された前記処置具の使用が禁止されているか否かの判定を行い、禁止されている場合に、その処置具を検査対象となる患者に対して適正ではないと判定することを特徴とする請求項１記載の内視鏡検査システム。
【請求項３】
患者の個人情報を表す患者情報を記憶する患者情報記憶手段を備え、
前記判定手段は、検査対象となる患者の患者情報を前記患者情報記憶手段から読み出し、その患者情報を基に検査対象となる患者に該当する前記禁忌情報を前記禁忌情報記憶手段から読み出すことを特徴とする請求項２記載の内視鏡検査システム。
【請求項４】
検査内容と、検査に必要となる各処置具の種別とを関連付けた処置具情報を記憶する処置具情報記憶手段を備え、
前記判定手段は、予め入力された検査内容に対応する前記処置具情報を前記処置具情報記憶手段から読み出すとともに、前記種別情報の示す種別が前記処置具情報に含まれているか否かを確認し、含まれていない場合に、前記挿通チャンネルに挿通された前記処置具を検査内容に対して適正ではないと判定することを特徴とする請求項１から３のいずれか１項に記載の内視鏡検査システム。
【請求項５】
前記内視鏡は、患者の体腔内に挿入される挿入部と、この挿入部の先端に設けられた観察窓を介して入射した像光を撮像する撮像素子とを有し、
前記内視鏡の機種を識別するための識別情報を基に前記内視鏡の機種を識別し、その機種に応じて、前記撮像素子の画角内に前記処置具が進入する向きを報知する処置具進入方向報知手段を設けたことを特徴とする請求項１から４のいずれか１項に記載の内視鏡検査システム。
【請求項６】
前記種別情報記憶手段は、ＲＦＩＤタグであり、前記読取手段は、前記ＲＦＩＤタグと無線通信するタグリーダであることを特徴とする請求項１から５のいずれか１項に記載の内視鏡検査システム。
【請求項７】
処置具が挿通される挿通チャンネルが設けられた内視鏡を用いる検査を支援する検査支援装置において、
前記挿通チャンネルに挿通された前記処置具の種別情報を前記処置具に設けられた種別情報記憶手段から読み取る読取手段と、
前記読取手段が読み取った前記種別情報を基に、前記挿通チャンネルに挿通された前記処置具が適正か否かを判定する判定手段と、
前記判定手段の判定結果を報知する報知手段とを備えたことを特徴とする検査支援装置。
【請求項８】
処置具が挿通される挿通チャンネルが設けられた内視鏡を用いて検査を行なう内視鏡検査方法において、
前記挿通チャンネルに挿通された前記処置具の種別情報を前記処置具に設けられた種別情報記憶手段から読取手段で読み取るステップと、
読み取った前記種別情報を基に、前記挿通チャンネルに挿通された前記処置具が適正か否かを判定手段で判定するステップと、
前記判定手段の判定結果を報知手段で報知するステップとを有することを特徴とする内視鏡検査方法。
【発明の詳細な説明】
【技術分野】
【０００１】
本発明は、処置具が挿通される挿通チャンネルが設けられた内視鏡を用いて検査を行なう内視鏡検査システム、及び前記内視鏡を用いる検査を支援する検査支援装置、並びに前記内視鏡を用いて検査を行なう内視鏡検査方法に関する。
【背景技術】
【０００２】
例えば、電子内視鏡システムに代表される医療検査システムでは、医療事故をなくすための種々の提案がなされている（特許文献１〜５参照）。特許文献１は、内視鏡にＲＦＩＤタグを、高周波焼灼装置にタグリーダを設け、内視鏡が高周波焼灼装置に対応しているかを判定し、判定が否であった場合、高周波焼灼装置の表示パネルに表示している。特許文献２は、内視鏡、付属品に識別コードを付し、付属品の適合判断を行い、不適合である場合には警告を表示している。特許文献３は、医療オーダをシステム化してサーバで一括管理している。処置具や患者のリストバンドに設けられたＲＦＩＤタグの情報を読み取り、サーバの医療オーダと照合して適不適を判断している。特許文献４は、患者の禁忌事項を含む情報を一括管理する医療管理システムを開示している。特許文献５は、内視鏡を収納するトレイにタグを設け、洗浄消毒装置のリーダでタグの情報を読み取り、内視鏡と洗浄消毒装置の組み合わせの適不適を判断し、不適であった場合は警告を表示している。
【特許文献１】特開２００３−０８８５３４号公報
【特許文献２】特開２００５−０５８４５０号公報
【特許文献３】特開２００４−３４８７１７号公報
【特許文献４】特開２００６−３３８５２１号公報
【特許文献５】特開２００６−２９６９８２号公報
【発明の開示】
【発明が解決しようとする課題】
【０００３】
内視鏡検査においては、術者は、検査前に必要な処置具をリストアップし、カートのトレイに予め用意したうえで検査を開始する。このとき、内視鏡的処置に用いられる処置具の中には、検査対象となる患者の体質や病歴などに応じて、使用を控えた方がよいものがある。例えば、抗凝固薬を使用している患者に対して穿刺針を使用すると、穿刺針の挿入部位からの出血がなかなか止められなくなってしまう場合がある。このように、検査対象となる患者に対して適正ではない処置具を使用すると、医療事故に繋がることが懸念される。
【０００４】
しかしながら、患者に対して各処置具が適正か否かは、患者のカルテなどを参照して確認を行なわなければならず、各処置具を用意する検査スタッフにとって非常に煩わしいものであった。また、検査スタッフが確認を行なったとしても、見落としなどによって適正ではない処置具が用意されてしまい、結果として医療事故が発生してしまう恐れもある。
【０００５】
また、例えば、上部消化管の検査に下部消化管用の処置具を使用してしまった場合など、検査内容に対して適正ではない処置具を使用した際にも、上述と同様の問題が発生する。このため、医療施設においては、検査スタッフに手間を掛けさせることなく、適正ではない処置具の使用にともなう医療事故を確実に防止できるようにしたいという要望が強い。
【０００６】
こうした要望に対し、特許文献１では、高周波処置に非対応の内視鏡に対して高周波処置を行なうことにより生じる不具合を防止することができるが、対象患者に対して適正ではない処置具の使用を防止することについて何ら考慮がなされていない。特許文献２では、内視鏡と処置具との適合可否を判定することができるものの、患者や検査内容に対して処置具が適正か否かを判定することはできない。
【０００７】
特許文献３では、ＰＤＡによる読み取りを忘れてしまった場合や、適正ではないことを確認した後に誤ってその処置具をカート上に置いてしまった場合などに、結局適正ではない処置具が使用されてしまう可能性があるため、医療事故の発生を確実に防止することはできない。
【０００８】
特許文献４では、患者に対して適正ではない処置具の使用を防止することなどについて何ら考慮がなされていない。特許文献５では、適合しない洗浄消毒装置に内視鏡をセットしてしまうことを確実に防止することができるが、適正ではない処置具の使用を防止することについて何ら考慮がなされていない。
【０００９】
本発明は、上記課題を鑑みてなされたものであって、検査スタッフに手間を掛けさせることなく、適正ではない処置具の使用にともなう医療事故を確実に防止することを目的とする。
【課題を解決するための手段】
【００１０】
上記目的を達成するため、本発明の内視鏡検査システムは、処置具が挿通される挿通チャンネルが設けられた内視鏡と、前記挿通チャンネルに挿通された前記処置具の種別情報を前記処置具に設けられた種別情報記憶手段から読み取る読取手段と、前記読取手段が読み取った前記種別情報を基に、前記挿通チャンネルに挿通された前記処置具が適正か否かを判定する判定手段と、前記判定手段の判定結果を報知する報知手段とを備えたことを特徴とする。
【００１１】
なお、病歴又は体質を示す情報と、これらに対して使用を禁止する前記処置具の種別とを関連付けた禁忌情報を記憶する禁忌情報記憶手段を備え、前記判定手段は、検査対象となる患者の禁忌情報と前記種別情報とを基に、前記挿通チャンネルに挿通された前記処置具の使用が禁止されているか否かの判定を行い、禁止されている場合に、その処置具を検査対象となる患者に対して適正ではないと判定することが好ましい。
【００１２】
また、患者の個人情報を表す患者情報を記憶する患者情報記憶手段を備え、前記判定手段は、検査対象となる患者の患者情報を前記患者情報記憶手段から読み出し、その患者情報を基に検査対象となる患者に該当する前記禁忌情報を前記禁忌情報記憶手段から読み出すことが好ましい。
【００１３】
さらに、検査内容と、検査に必要となる各処置具の種別とを関連付けた処置具情報を記憶する処置具情報記憶手段を備え、前記判定手段は、予め入力された検査内容に対応する前記処置具情報を前記処置具情報記憶手段から読み出すとともに、前記種別情報の示す種別が前記処置具情報に含まれているか否かを確認し、含まれていない場合に、前記挿通チャンネルに挿通された前記処置具を検査内容に対して適正ではないと判定することが好ましい。
【００１４】
なお、前記内視鏡は、患者の体腔内に挿入される挿入部と、この挿入部の先端に設けられた観察窓を介して入射した像光を撮像する撮像素子とを有し、前記内視鏡の機種を識別するための識別情報を基に前記内視鏡の機種を識別し、その機種に応じて、前記撮像素子の画角内に前記処置具が進入する向きを報知する処置具進入方向報知手段を設けることが好ましい。
【００１５】
また、前記種別情報記憶手段は、ＲＦＩＤタグであり、前記読取手段は、前記ＲＦＩＤタグと無線通信するタグリーダであることが好ましい。
【００１６】
さらに、処置具が挿通される挿通チャンネルが設けられた内視鏡を用いる検査を支援する本発明の検査支援装置は、前記挿通チャンネルに挿通された前記処置具の種別情報を前記処置具に設けられた種別情報記憶手段から読み取る読取手段と、前記読取手段が読み取った前記種別情報を基に、前記挿通チャンネルに挿通された前記処置具が適正か否かを判定する判定手段と、前記判定手段の判定結果を報知する報知手段とを備えたことを特徴とする。
【００１７】
なお、処置具が挿通される挿通チャンネルが設けられた内視鏡を用いて検査を行なう本発明の内視鏡検査方法は、前記挿通チャンネルに挿通された前記処置具の種別情報を前記処置具に設けられた種別情報記憶手段から読取手段で読み取るステップと、読み取った前記種別情報を基に、前記挿通チャンネルに挿通された前記処置具が適正か否かを判定手段で判定するステップと、前記判定手段の判定結果を報知手段で報知するステップとを有することを特徴とする。
【発明の効果】
【００１８】
本発明では、挿通チャンネルに挿通された処置具の種別情報を処置具に設けられた種別情報記憶手段から読み取り、読み取った種別情報を基に処置具が適正か否かを判定し、その判定結果を報知するようにした。これにより、処置具を用意する検査スタッフは、カルテなどに基づいて確認を行なうことなく、各処置具が適正か否かを知ることができる。また、見落としなどが起きる心配もない。従って、本発明によれば、検査スタッフに手間を掛けさせることなく、適正ではない処置具の使用にともなう医療事故を確実に防止することができる。
【発明を実施するための最良の形態】
【００１９】
図１は、病院などの医療施設に構築される内視鏡検査システム２の構成を概略的に示す説明図である。内視鏡検査システム２は、内視鏡検査装置１０と、検査予約管理サーバ１２と、診療科端末１４と、情報管理サーバ１６と、画像サーバ１８と、これらを相互に接続するＬＡＮ（Local Area Network）２０とで構成されている。内視鏡検査装置１０は、内視鏡検査室４に設置されている。内視鏡検査装置１０は、患者の体腔内を撮影した内視鏡画像を取得する。検査予約管理サーバ１２は、内視鏡検査室４における内視鏡検査の予約状況を示すスケジュールデータ２２を管理する。
【００２０】
診療科端末１４は、外科や内科などの診療科６に設置されている。診療科端末１４は、患者の診察の際などに用いられる。診療科６に在籍する医師は、例えば、内視鏡画像などの医用画像を表示して患者に病状の説明を行う際や、診察結果を電子カルテに入力する際などに診療科端末１４を使用する。情報管理サーバ１６は、医療施設内の種々の情報を管理する。画像サーバ１８は、内視鏡検査装置１０が撮影した内視鏡画像などの種々の医用画像を保管する。なお、内視鏡検査装置１０、診療科端末１４、及び各サーバ１２、１６、１８は、内視鏡検査システム２に複数台設けられていてもよい。
【００２１】
診察を担当する医師は、患者の診察を行った結果、必要に応じて検査予約管理サーバ１２にアクセスし、当該患者に対する内視鏡検査を予約する。内視鏡検査を担当する医師や技師、及び看護師などの検査スタッフは、検査予約管理サーバ１２にアクセスして内視鏡検査の予約状況を確認し、予約に応じて内視鏡検査を実施する。
【００２２】
なお、内視鏡検査には、病変部の有無などを確認するための観察の他に、例えば、体腔内の出血を止める止血処置、体腔内の細胞・組織の一部を採取する生検処置、ポリープや静脈瘤などの病変部を切除する切除処置、及び体腔内に入り込んだ異物の除去などといった内視鏡的処置も含まれる。
【００２３】
情報管理サーバ１６は、例えば、ＨＩＳ（Hospital Information System：病院情報システム）サーバや電子カルテサーバなどである。情報管理サーバ１６は、患者情報、診療情報、検査情報、会計情報などといった各種の情報を患者毎に記憶・管理する。なお、患者情報は、各患者の個人情報を表すものであり、例えば、患者氏名、患者ＩＤ、現住所、生年月日、年齢、性別、家族構成、及び既往歴やアレルギーの有無などが含まれる。
【００２４】
診療情報は、患者に対しての診療の情報であり、例えば、診療日付、診療科、傷病名、診断結果、治療期間、投薬の種類及び量、処方薬局名などが含まれる。なお、治療期間とは、同一傷病に関して医療施設に通院した期間である。検査情報は、診断に際して撮影された医用画像などの情報であり、例えば、検査日付、検査機器、検査方法、検査部位などが含まれる。また、会計情報には、例えば、診察費用、投薬費用、検査費用、及び保険適用の有無を表す情報などが含まれる。
【００２５】
画像サーバ１８は、いわゆるＰＡＣＳ（Picture Archiving and Communication System for medical application）サーバである。この画像サーバ１８には、内視鏡検査装置１０からの内視鏡画像の他に、例えば、ネットワークやメディアなどを介して他の医療施設から送られてきた医用画像や、症状の対比などに用いられる参考用の画像などが保管される。画像サーバ１８に保管された各医用画像は、必要に応じて診療科端末１４などに読み出され、画像診断や患者への説明などに用いられる。
【００２６】
内視鏡検査の予約を行う場合には、図２に示すように、先ず、診療科端末１４を介して検査予約管理サーバ１２にスケジュール表の転送を要求する。検査予約管理サーバ１２は、スケジュール表の転送要求を受信すると、スケジュールデータ２２を基にスケジュール表を構成し、依頼元の診療科端末１４に転送する。診療科端末１４は、検査予約管理サーバ１２からスケジュール表を受信すると、そのスケジュール表をモニタ（図示は省略）に表示する。
【００２７】
診療科６に在籍する医師は、モニタにスケジュール表が表示されると、そのスケジュール表から空いている予約枠を選択する。そして、検査を依頼する患者の患者名、患者ＩＤ、検査内容、予約日時、予約した医師の医師ＩＤなどからなる検査予約情報２４を作成し、作成した検査予約情報２４を検査予約管理サーバ１２に送信する。検査予約管理サーバ１２は、検査予約情報２４を受信すると、その検査予約情報２４を基にスケジュールデータ２２を更新する。以上により、前記選択した予約枠に新たな検査予約が申し込まれる。
【００２８】
検査予約情報２４に含まれる検査内容とは、例えば、咽頭部、食道、胃、十二指腸の観察、生検などといった上部消化管検査、小腸、大腸、直腸の観察、生検などといった下部消化管検査、及びこれらに止血処置、切除処置、異物除去などの内視鏡的処置を加えたものである。なお、検査予約情報２４に含まれる情報は、上記に限定されるものではない。
【００２９】
図３は、内視鏡検査装置１０の構成を概略的に示す正面図である。内視鏡検査装置１０は、患者の体腔内を撮影する電子内視鏡３０と、内視鏡画像を生成するプロセッサ３２と、体腔内を照明する照明光を発する光源ユニット３４と、内視鏡画像を表示するモニタ３６とからなる。電子内視鏡３０は、患者の体腔内に挿入される挿入部３８と、挿入部３８の基端部分に連設された操作部４０とを備えている。また、電子内視鏡３０は、操作部４０から伸びるユニバーサルコード４２を介してプロセッサ３２、光源ユニット３４と接続される。
【００３０】
プロセッサ３２、光源ユニット３４、モニタ３６は、移動自在なカート４４に組み付けられている。カート４４には、内視鏡検査を実施する際に様々な器具や薬剤が載置されるトップトレイ４６と、プロセッサ３２と光源ユニット３４とをそれぞれ載置するための棚板４８、５０と、電子内視鏡３０を吊るすためのハンガー５２と、モニタ３６を保持する支柱５４とが設けられている。トップトレイ４６は、カート４４の上端に設けられており、薬剤がこぼれて汚れた際などに、洗浄や交換が容易に行えるよう、カート４４に対して着脱自在に構成されている。支柱５４は、略円柱状に構成されており、モニタ３６の画面を任意の方向に向ける回転機構、及び画面の高さを調節する高さ調節機構を有している。
【００３１】
また、カート４４には、さらにキーボード５６が設けられている。キーボード５６は、トップトレイ４６に覆われるようにカート４４内に収納される位置と、各キーを露呈させるようにカート４４の前方に突出する位置との間でスライド自在に取り付けられている。キーボード５６は、プロセッサ３２に電気的に接続され、プロセッサ３２に文字情報や動作指示などを入力する際に用いられる。
【００３２】
内視鏡検査を実施する際には、図４に示すように、トップトレイ４６に複数の処置具６０が載置される。処置具６０は、消毒・滅菌などが施された後、ポリエチレンなどを素材とする袋６２に包装される。そして、処置具６０は、袋６２に包装された状態でトップトレイ４６に載置され、直前に袋６２から取り出して使用される。これにより、処置具６０の汚染が防止される。なお、処置具６０とは、例えば、生検鉗子、把持鉗子、クリップ鉗子、バスケット鉗子、穿刺針、スネア、散布チューブ、バルーンカテーテルなど、内視鏡的処置に用いられる周知の医療器具である。
【００３３】
処置具６０は、図５に示すように、電子内視鏡３０の操作部４０に設けられた鉗子口７０に挿通することによって使用される。鉗子口７０に挿通された処置具６０は、挿入部３８内に形成された挿通チャンネルを通り、その種類に応じて様々な形状に成形された先端部６０ａを、挿入部３８の先端面３８ａに形成された鉗子出口７２から露呈させる。これにより、止血や病変部の切除などといった内視鏡的処置が実施される。なお、挿入部３８の先端面３８ａには、鉗子出口７２の他に、観察部位からの像光を取り込むための観察窓７４と、光源ユニット３４からの照明光を照射するための照明窓７６とが設けられている。
【００３４】
また、図５に示すように、処置具６０の先端付近には、ＲＦＩＤタグ７８が埋め込まれている。このＲＦＩＤタグ７８には、生検鉗子や把持鉗子などといった処置具６０の種別を示す種別情報８４ａ（図６参照）が記憶されている。なお、種別情報８４ａは、例えば、製品名や型式番号など、間接的に処置具６０の種別を特定できるものであってもよい。また、ＲＦＩＤタグ７８は、処置具６０の表面に貼り付けるようにしてもよい。但し、表面に貼り付けただけでは、剥がれ落ちてしまうことが懸念される。このため、ＲＦＩＤタグ７８は、上述のように、埋め込むようにすることが好適である。
【００３５】
図６に示すように、電子内視鏡３０の操作部４０には、処置具６０に設けられたＲＦＩＤタグ７８から種別情報８４ａを読み取るためのアンテナ７９が設けられている。アンテナ７９は、鉗子口７０の近くに設けられている。また、このアンテナ７９は、ユニバーサルコード４２などを介して、プロセッサ３２に設けられたタグリーダ８０と接続されている。タグリーダ８０は、処置具６０が鉗子口７０に挿入された際に、アンテナ７９を介して、その処置具６０のＲＦＩＤタグ７８から種別情報８４ａを読み取る。
【００３６】
ＲＦＩＤタグ７８は、アンテナ７９、８１を介してタグリーダ８０とデータの無線通信を行う無線通信回路８２と、種別情報８４ａを記憶するメモリ８３と、これらを制御する制御回路８５とを備えている。ＲＦＩＤタグ７８の電源回路８６は、アンテナ８１が受信した電波から電磁誘導によって発電する。つまり、ＲＦＩＤタグ７８は、タグリーダ８０から電力を受けて動作する、いわゆるパッシブ方式のタグである。なお、ＲＦＩＤタグ７８は、アクティブ方式のタグでも勿論よい。
【００３７】
図７は、電子内視鏡３０とプロセッサ３２との電気的構成を概略的に示すブロック図である。電子内視鏡３０には、観察窓７４を介して入射した像光を撮像するＣＣＤ９０と、電子内視鏡３０の機種などを識別するためのスコープ識別情報９４を記憶するＲＯＭ９２とが設けられている。スコープ識別情報９４には、例えば、電子内視鏡３０の機種名、型式番号、メーカ、製造年月日などが含まれる。スコープ識別情報９４は、ユニバーサルコード４２を介して電子内視鏡３０とプロセッサ３２とを接続した後、プロセッサ３２に読み出される。なお、スコープ識別情報９４に含まれる情報は、上記に限定されるものではない。
【００３８】
ＣＣＤ９０は、プロセッサ３２に設けられた増幅器（以下、ＡＭＰと称す）１００と、ＣＣＤドライバ１０１とに接続される。ＡＭＰ１００は、ＣＣＤ９０から出力された撮像信号を所定のゲインで増幅し、これを相関二重サンプリング／プログラマブルゲインアンプ（以下、ＣＤＳ／ＰＧＡと称す）１０２に出力する。
【００３９】
ＣＤＳ／ＰＧＡ１０２は、ＡＭＰ１００から出力された撮像信号をＣＣＤ９０の各セルの蓄積電荷量に正確に対応したＲ、Ｇ、Ｂの画像データとして出力し、この画像データを増幅してＡ／Ｄ変換器（以下、Ａ／Ｄと称す）１０３に出力する。Ａ／Ｄ１０３は、ＣＤＳ／ＰＧＡ１０２から出力されたアナログの画像データを、デジタルの画像データに変換する。画像処理部１０４は、Ａ／Ｄ１０３でデジタル化された画像データに対して各種の画像処理を施し、モニタ３６に内視鏡画像として出力する。
【００４０】
ＣＣＤ９０を駆動するＣＣＤドライバ１０１は、タイミングジェネレータ（以下、ＴＧと称す）１０５に接続されている。このＴＧ１０５は、プロセッサ３２の各部を統括的に制御するＣＰＵ１０６に接続されている。ＴＧ１０５は、ＣＰＵ１０６の制御の下、タイミング信号（クロックパルス）をＣＣＤドライバ１０１に入力する。ＣＣＤドライバ１０１は、入力されたタイミング信号を基に、ＣＣＤ９０の蓄積電荷の読み出しタイミングやＣＣＤ９０の電子シャッタのシャッタ速度などを制御する。ＣＰＵ１０６には、プロセッサ３２を制御するための各種のプログラムなどを記憶したＨＤＤ１０７が接続されている。ＣＰＵ１０６は、ＨＤＤ１０７から所定のプログラムを読み出し、そのプログラムを逐次処理することにより、プロセッサ３２の各部を制御する。
【００４１】
ＣＰＵ１０６には、ＨＤＤ１０７の他に、タグリーダ８０、キーボード５６、及び周知のポインティングデバイスであるマウス１０８、音声を出力するためのスピーカ１０９、プロセッサ３２をＬＡＮ２０に接続するためのＬＡＮインタフェース（以下、Ｉ／Ｆと称す）１１０などが接続されている。また、ＣＰＵ１０６は、画像処理部１０４に接続されており、画像処理部１０４に種々の制御信号を入力する。これにより、内視鏡画像以外の種々の操作画面などがモニタ３６に表示される。
【００４２】
ＨＤＤ１０７には、アイコン情報データベース（以下、ＤＢと称す）１１２、禁忌情報ＤＢ１１４などのＤＢが構築されている。アイコン情報ＤＢ１１２には、図８に示すように、電子内視鏡３０の型式番号（スコープ型式番号）と、鉗子出口７２から露呈した処置具６０がＣＣＤ９０の画角内に進入する向きを示すアイコン１１６とを関連付けたアイコン情報１１８が複数記憶されている。処置具６０がＣＣＤ９０の画角内に進入する向きは、鉗子出口７２と観察窓７４との位置関係、及びＣＣＤ９０の配置などにより、電子内視鏡３０の機種毎に異なる。処置具６０を鉗子口７０に挿通して内視鏡的処置を行う際、処置具６０が想定外の方向から画角内に進入すると、挿入部３８の向きを変えなければならないなど、術者の作業効率を低下させる要因になる。
【００４３】
こうした作業効率の低下を防止するため、プロセッサ３２のＣＰＵ１０６は、電子内視鏡３０のＲＯＭ９２から読み出したスコープ識別情報９４に含まれる型式番号を基にアイコン情報ＤＢ１１２を検索し、対応するアイコン１１６を読み出してモニタ３６に表示する。これにより、処置具６０の画角内に進入する方向が術者に報知されるので、前述のような術者の作業効率の低下を防止することができる。
【００４４】
各アイコン１１６は、例えば、ＣＣＤ９０の画角を示す略円形の記号１１６ａと、画角内に進入する処置具６０を示す略長方形状の記号１１６ｂとを組み合わせたもので表される。すなわち、図８の１行目のアイコン１１６は、ＣＣＤ９０の画角の右下方向から処置具６０が進入することを示している。また、図８の２行目のアイコン１１６は、ＣＣＤ９０の画角の左上方向から処置具６０が進入することを示している。なお、各アイコン１１６の形状は、上記に限定されるものではない。
【００４５】
禁忌情報ＤＢ１１４には、図９に示すように、病歴又は体質を示す情報と、これらに対して使用を禁止する処置具６０の種別とを関連付けた禁忌情報１２０ａが複数記憶されている。例えば、心筋梗塞や脳卒中などにともなう血栓塞栓症の予防や治療のため抗凝固薬を使用している患者に対して穿刺針を使用すると、穿刺針の挿入部位からの出血がなかなか止められなくなり、大きな医療事故に繋がってしまう場合がある。このため、禁忌情報１２０ａは、例えば、病歴又は体質を示す情報に「血栓塞栓症」や「抗凝固薬」を記録し、使用を禁止する処置具６０の種別に「穿刺針」を記録し、これらを互いに関連付ける。これにより、例えば、患者情報に含まれる既往歴などを基に禁忌情報ＤＢ１１４を検索することで、その患者に対して使用してはならない処置具６０を容易に導き出すことができる。
【００４６】
診療科６において内視鏡検査を実施する場合には、キーボード５６やマウス１０８などを操作し、プロセッサ３２から検査予約管理サーバ１２にアクセスする。そして、検査予約管理サーバ１２からスケジュール表を受信し、そのスケジュール表から所定の検査予約を選択する。これにより、選択した検査予約に対する内視鏡検査（以下、当該検査と称す）が開始される。
【００４７】
プロセッサ３２のＣＰＵ１０６は、所定の検査予約の選択によって内視鏡検査の開始が指示されると、図１０（ａ）に示す内視鏡画像１２２をモニタ３６に表示する。内視鏡画像１２２には、プロセッサ３２に接続された電子内視鏡３０に対応するアイコン１１６が重ねて表示される。ＣＰＵ１０６は、前述のように、電子内視鏡３０のＲＯＭ９２からスコープ識別情報９４を読み出し、そのスコープ識別情報９４に含まれる型式番号を基にアイコン情報ＤＢ１１２を検索することにより、対応するアイコン１１６を内視鏡画像１２２に重ねて表示する。なお、図１０では、挿入部３８を体腔内に挿入した状態の内視鏡画像１２２を示している。
【００４８】
また、ＣＰＵ１０６は、内視鏡検査の開始が指示されると、図１１に示すように、情報管理サーバ１６にアクセスし、選択された検査予約の検査予約情報２４に含まれる患者ＩＤを基に、情報管理サーバ１６を検索する。そして、当該検査の検査対象となる患者（以下、対象患者と称す）の患者情報を情報管理サーバ１６から読み出す。患者情報を読み出したＣＰＵ１０６は、禁忌情報ＤＢ１１４にアクセスし、その患者情報を基に対象患者に該当する禁忌情報１２０ａを検索する。
【００４９】
禁忌情報１２０ａの検索は、例えば、患者情報から所定のキーワードを抽出し、そのキーワードと各禁忌情報１２０ａに含まれる病歴又は体質を示す情報とを対比させることによって行われる。ＣＰＵ１０６は、例えば、血栓塞栓症の予防や治療を行っていることが患者情報に記録されている場合、血栓塞栓症をキーワードとして抽出する。そして、前述のように対比を行い、病歴又は体質を示す情報に血栓塞栓症が記録された禁忌情報１２０ａが見付かった場合、その禁忌情報１２０ａを対象患者に該当するものと判断する。
【００５０】
ＣＰＵ１０６は、検索によって対象患者に該当する禁忌情報１２０ａを見付けた場合、その禁忌情報１２０ａを禁忌情報ＤＢ１１４から読み出し、ＣＰＵ１０６内に禁忌情報１２０ｂとして置く。禁忌情報１２０ｂを読み出したＣＰＵ１０６は、タグリーダ８０に種別情報８４ａの読み取り開始を指示する。タグリーダ８０は、ＣＰＵ１０６から読み取り開始が指示されると、所定の周波数の電波をアンテナ７９から出力する。そして、処置具６０が鉗子口７０に挿通されたことに応じて、その処置具６０のＲＦＩＤタグ７８と無線通信し、ＲＦＩＤタグ７８から種別情報８４ａを読み取る。タグリーダ８０は、種別情報８４ａを読み取ると、その種別情報８４ｂをＣＰＵ１０６に入力する。
【００５１】
ＣＰＵ１０６は、タグリーダ８０から種別情報８４ｂを受け取ると、対象患者に該当する禁忌情報１２０ｂと種別情報８４ｂとを基に、鉗子口７０に挿通された処置具６０の使用が禁止されているか否かの判定を行う。使用が禁止されているか否かの判定は、種別情報８４ｂが示す処置具６０の種別が禁忌情報１２０ｂに含まれているか否かを確認することによって行われる。ＣＰＵ１０６は、種別情報８４ｂの示す種別が禁忌情報１２０ｂに含まれていない場合、処置具６０は使用が禁止されていないと判定する。一方、ＣＰＵ１０６は、種別情報８４ｂの示す種別が禁忌情報１２０ｂに含まれている場合、処置具６０は使用が禁止されていると判定する。
【００５２】
ＣＰＵ１０６は、上述のように判定を行った結果、処置具６０の使用が禁止されていると判定すると、図１０（ｂ）に示すように、警告ウィンドウ１２４を内視鏡画像１２２に重ねて表示し、処置具６０の使用が禁止されていることを術者に報知する。警告ウィンドウ１２４には、警告ウィンドウ１２４を確認したことを指示するためのＯＫボタン１２６が設けられている。ＣＰＵ１０６は、ＯＫボタン１２６がクリックされたことに応じて、警告ウィンドウ１２４を非表示にする。
【００５３】
次に、図１２に示すフローチャートを参照しながら、上記構成による内視鏡検査システム２の作用について説明する。検査スタッフは、内視鏡検査を実施する際、先ず洗浄・消毒などが施された清潔な電子内視鏡３０の接続、内視鏡検査装置１０の動作確認、及び処置具６０や薬剤など検査に必要な資器材の用意などといった検査準備を行う。用意された処置具６０や薬剤などは、カート４４のトップトレイ４６上に載置される。
【００５４】
検査スタッフは、検査予約管理サーバ１２からスケジュール表を受信し、そのスケジュール表から所定の検査予約を選択して当該検査の開始を指示し、検査準備が終了する。これ以降は、術者が電子内視鏡３０の操作を行なう。プロセッサ３２のＣＰＵ１０６は、当該検査の開始が指示されると、プロセッサ３２に接続された電子内視鏡３０に対応するアイコン１１６を含む内視鏡画像１２２（図１１（ａ）参照）をモニタ３６に表示する。術者は、モニタ３６を見ることにより、電子内視鏡３０で撮影された内視鏡画像１２２を確認するとともに、処置具６０が画角内に進入する方向を確認する。これにより、処置具６０が想定外の方向から画角内に進入することにともなう術者の作業効率の低下が防止される。
【００５５】
また、ＣＰＵ１０６は、当該検査の開始が指示されると、内視鏡画像１２２の表示を行なうとともに、図１１に示すように、対象患者の患者情報を情報管理サーバ１６から読み出す。ＣＰＵ１０６は、患者情報を読み出すと、禁忌情報ＤＢ１１４にアクセスし、その患者情報を基に対象患者に該当する禁忌情報１２０ａを検索する。ここで、対象患者に該当する禁忌情報１２０ａがない場合には、処置具６０の使用が禁止される心配はない。このため、ＣＰＵ１０６は、該当する禁忌情報１２０ａがないと判定すると、これ以降、当該検査が終了されるまで、内視鏡画像１２２のみが表示された状態を継続させる。
【００５６】
反対に、ＣＰＵ１０６は、該当する禁忌情報１２０ａがあると判定すると、その禁忌情報１２０ａを禁忌情報ＤＢ１１４から読み出し、ＣＰＵ１０６内に禁忌情報１２０ｂとして置くとともに、タグリーダ８０に種別情報８４ａの読み取り開始を指示する。タグリーダ８０は、ＣＰＵ１０６からの指示に応じて読み取りを開始し、処置具６０が鉗子口７０に挿通された際に、その処置具６０のＲＦＩＤタグ７８から種別情報８４ａを読み取る。そして、種別情報８４ａを読み取ると、その種別情報８４ｂをＣＰＵ１０６に入力する。
【００５７】
ＣＰＵ１０６は、タグリーダ８０から種別情報８４ｂを受け取ると、対象患者に該当する禁忌情報１２０ｂと種別情報８４ｂとを基に、鉗子口７０に挿通された処置具６０の使用が禁止されているか否かの判定を行う。ＣＰＵ１０６は、使用が禁止されていると判定すると、内視鏡画像１２２上に警告ウィンドウ１２４（図１０（ｂ）参照）を表示するとともに、スピーカ１０９から警告音を出力し、鉗子口７０に挿通された処置具６０の使用が禁止されていることを術者に報知する。
【００５８】
このように、処置具６０の使用が禁止されていることを報知することにより、対象患者に対して使用してはならない処置具６０を使用してしまうことによる医療事故を未然に防ぐことができる。また、図１０（ｂ）に示すように、内視鏡画像１２２に重ねて警告ウィンドウ１２４を表示することにより、警告ウィンドウ１２４の表示に気付かずに検査を続けてしまうことを防止し、医療事故をより確実に防止することができる。さらに、ＣＰＵ１０６が判定を行い、その結果を報知するので、術者などに手間を掛けさせる心配もない。
【００５９】
術者は、警告ウィンドウ１２４やスピーカ１０９からの警告音によって、処置具６０の使用が禁止されていること確認すると、処置具６０を鉗子口７０から引き抜く。そして、この後、マウス１０８を操作し、警告ウィンドウ１２４に設けられたＯＫボタン１２６をクリックする。ＣＰＵ１０６は、ＯＫボタン１２６のクリックに応じて、警告ウィンドウ１２４を非表示にするとともに、スピーカ１０９からの警告音を停止し、術者に対する報知を終了する。
【００６０】
一方、ＣＰＵ１０６は、処置具６０の使用が禁止されていないと判定すると、内視鏡画像１２２のみが表示された状態（図１０（ａ）参照）を継続させ、術者に当該検査を実施させる。また、ＣＰＵ１０６は、対象患者に該当する禁忌情報１２０ｂが読み出されている場合、当該検査が終了されるまで、鉗子口７０に処置具６０が挿通される度に、上記の処理を繰り返す。
【００６１】
なお、上記実施形態では、患者情報を基に禁忌情報ＤＢ１１４を検索し、対象患者に該当する禁忌情報１２０ａを読み出すようにしたが、これとは反対に、タグリーダ８０を介して読み取った各種別情報８４ｂを基に禁忌情報ＤＢ１１４を検索し、対象患者に該当する禁忌情報１２０ａを読み出すようにしてもよい。
【００６２】
また、上記実施形態では、内視鏡画像１２２に重ねてアイコン１１６を表示するようにしたが、アイコン１１６は、内視鏡画像１２２に重ねなくてもよい。但し、内視鏡画像１２２にアイコン１１６を重ねれば、術者の視線移動を最小限に抑えることができるので、処置具６０の画角内に進入する方向を術者に報知して作業効率の低下を防止するという効果をより高めることができる。また、内視鏡画像１２２上におけるアイコン１１６の位置は、任意の位置でよいが、四隅など内視鏡画像１２２の観察の邪魔にならない位置に配置することが好ましい。さらに、上記実施形態では、アイコン１１６によって処置具６０の画角内に進入する方向を報知するようにしたが、進入方向の報知は、これに限ることなく、例えば、文字や音声などによるものでもよい。
【００６３】
なお、上記実施形態では、内視鏡画像１２２に重ねて警告ウィンドウ１２４を表示するようにしたが、警告ウィンドウ１２４は、内視鏡画像１２２に重ねなくてもよい。但し、前述のように、内視鏡画像１２２に重ねて警告ウィンドウ１２４を表示することにより、術者が警告ウィンドウ１２４の表示に気付かずに検査を続けてしまうことを防止することができるので、重ねて表示した方が好ましい。
【００６４】
また、上記実施形態では、警告ウィンドウ１２４とスピーカ１０９からの警告音とによって術者への報知を行なうようにしたが、術者への報知は、これに限ることなく、例えば、警告灯を点灯させるものでもよい。
【００６５】
なお、上記実施形態では、電子内視鏡３０にアンテナ７９を設け、プロセッサ３２にタグリーダ８０を設けるようにしたが、これに限ることなく、例えば、電子内視鏡３０にタグリーダ８０自体を設けるようにしてもよい。また、上記実施形態では、ＲＦＩＤタグ７８を種別情報記憶手段として示したが、種別情報記憶手段は、これに限ることなく、例えば、バーコードなどでもよい。
【００６６】
さらに、上記実施形態では、電子内視鏡３０を内視鏡として示したが、内視鏡は、これに限ることなく、例えば、超音波内視鏡や蛍光内視鏡や光学的干渉断層計（ＯＣＴ）内視鏡などでもよい。また、上記実施形態では、ＣＣＤ９０を撮像素子として示したが、撮像素子は、これに限ることなく、例えば、ＣＭＯＳイメージセンサなどでもよい。また、上記実施形態では、情報管理サーバ１６にアクセスして患者情報を取得するようにしたが、これに限ることなく、例えば、キーボード５６などを介して術者などに患者情報を入力させるようにしてもよい。
【００６７】
次に、本発明の第２の実施形態について説明する。なお、上記実施形態と機能・構成上同一のものについては、同符号を付し、詳細な説明を省略する。図１３に示すように、本実施形態のプロセッサ１３０は、ＨＤＤ１３１に処置具情報ＤＢ１３２を有している。処置具情報ＤＢ１３２は、内視鏡検査で必要となる処置具６０を検査内容毎にまとめたものである。処置具情報ＤＢ１３２には、例えば、図１４に示すように、検査内容の名称と、それに必要となる各処置具６０の種別とを関連付けた処置具情報１３３ａが複数記憶されている。これにより、所定の内視鏡検査を実施する際に、検査内容を基に処置具情報ＤＢ１３２を検索し、検査内容に応じた処置具情報１３３ａを読み出すことで、当該検査において必要となる各処置具６０を容易に導き出すことができる。
【００６８】
プロセッサ１３０のＣＰＵ１３５は、所定の検査予約の選択によって内視鏡検査の開始が指示されると、上記第１の実施形態と同様に、内視鏡画像１２２（図１０（ａ）参照）をモニタ３６に表示する。また、ＣＰＵ１３５は、内視鏡検査の開始が指示されると、図１５に示すように、処置具情報ＤＢ１３２にアクセスし、選択された検査予約の検査予約情報２４に含まれる検査内容を基に、処置具情報ＤＢ１３２を検索する。そして、当該検査の検査内容に応じた処置具情報１３３ａを処置具情報ＤＢ１３２から読み出し、ＣＰＵ１３５内に処置具情報１３３ｂとして置く。
【００６９】
処置具情報１３３ｂを読み出したＣＰＵ１３５は、タグリーダ８０に種別情報８４ａの読み取り開始を指示する。タグリーダ８０は、ＣＰＵ１３５から読み取り開始が指示されると、所定の周波数の電波をアンテナ７９から出力する。そして、処置具６０が鉗子口７０に挿通されたことに応じて、その処置具６０のＲＦＩＤタグ７８と無線通信し、ＲＦＩＤタグ７８から種別情報８４ａを読み取る。タグリーダ８０は、種別情報８４ａを読み取ると、その種別情報８４ｂをＣＰＵ１３５に入力する。
【００７０】
ＣＰＵ１３５は、タグリーダ８０から種別情報８４ｂを受け取ると、処置具情報１３３ｂと種別情報８４ｂとを基に、鉗子口７０に挿通された処置具６０が当該検査に対応したものか否かの判定を行う。この判定は、タグリーダ８０を介して読み取られた種別情報８４ｂの示す種別が、処置具情報１３３ｂの示す各処置具６０の種別に含まれているか否かを確認することによって行なわれる。
【００７１】
ＣＰＵ１３５は、種別情報８４ｂの示す種別が、処置具情報１３３ｂの示す各処置具６０の種別に含まれている場合に、鉗子口７０に挿通された処置具６０を当該検査に対応したものであると判定する。反対に、ＣＰＵ１３５は、種別情報８４ｂの示す種別が、処置具情報１３３ｂの示す各処置具６０の種別に含まれていない場合に、鉗子口７０に挿通された処置具６０を当該検査に対応したものではないと判定する。
【００７２】
ＣＰＵ１３５は、鉗子口７０に挿通された処置具６０が当該検査に対応したものではないと判定すると、図１６に示すように、警告ウィンドウ１３６を内視鏡画像１２２上に表示し、当該検査に対応していない処置具６０が鉗子口７０に挿通されたことを術者に報知する。警告ウィンドウ１３６には、警告ウィンドウ１３６を確認したことを指示するためのＯＫボタン１３８が設けられている。ＣＰＵ１３５は、ＯＫボタン１３８がクリックされたことに応じて、警告ウィンドウ１３６を非表示にする。
【００７３】
例えば、上部消化管の内視鏡検査を実施する際に、下部消化管用の処置具６０が使用されてしまうと、医療事故につながることが懸念される。従って、上述のように当該検査に対応していない処置具６０が鉗子口７０に挿通されたことを報知することにより、検査内容に対して適正ではない処置具６０の使用にともなう医療事故などを確実に防止することができる。
【００７４】
一方、ＣＰＵ１３５は、鉗子口７０に挿通された処置具６０が当該検査に対応したものであると判定すると、内視鏡画像１２２のみが表示された状態（図１０（ａ）参照）を継続させ、術者に当該検査を実施させる。
【００７５】
次に、図１７に示すフローチャートを参照しながら、上記第２の実施形態の作用について説明する。内視鏡検査を行なう術者は、検査準備を行なった後、検査予約管理サーバ１２からスケジュール表を受信し、そのスケジュール表から所定の検査予約を選択して当該検査の開始を指示する。プロセッサ１３０のＣＰＵ１３５は、当該検査の開始が指示されると、内視鏡画像１２２（図１０（ａ）参照）をモニタ３６に表示する。
【００７６】
また、ＣＰＵ１３５は、当該検査の開始が指示されると、内視鏡画像１２２の表示を行なうとともに、図１５に示すように、当該検査の検査内容に応じた処置具情報１３３ａを処置具情報ＤＢ１３２から読み出し、ＣＰＵ１３５内に禁忌情報１３３ｂとして置く。ＣＰＵ１３５は、処置具情報１３３ｂを読み出すと、タグリーダ８０に種別情報８４ａの読み取り開始を指示する。タグリーダ８０は、ＣＰＵ１３５からの指示に応じて読み取りを開始し、処置具６０が鉗子口７０に挿通された際に、その処置具６０のＲＦＩＤタグ７８から種別情報８４ａを読み取る。そして、種別情報８４ａを読み取ると、その種別情報８４ｂをＣＰＵ１３５に入力する。
【００７７】
ＣＰＵ１３５は、タグリーダ８０から種別情報８４ｂを受け取ると、処置具情報１３３ｂと種別情報８４ｂとを基に、鉗子口７０に挿通された処置具６０が当該検査に対応したものか否かの判定を行う。ＣＰＵ１３５は、鉗子口７０に挿通された処置具６０が当該検査に対応したものではないと判定すると、警告ウィンドウ１３６（図１６参照）を内視鏡画像１２２上に表示するとともに、スピーカ１０９から警告音を出力し、当該検査に対応していない処置具６０が鉗子口７０に挿通されたことを術者に報知する。これにより、検査内容に対して適正ではない処置具６０の使用にともなう医療事故などが確実に防止される。また、ＣＰＵ１３５が判定を行い、その結果を報知するので、術者などに手間を掛けさせる心配もない。
【００７８】
術者は、警告ウィンドウ１３６やスピーカ１０９からの警告音によって、処置具６０が当該検査に対応していないこと確認すると、処置具６０を鉗子口７０から引き抜く。そして、この後、マウス１０８を操作し、警告ウィンドウ１３６に設けられたＯＫボタン１３８をクリックする。ＣＰＵ１３５は、ＯＫボタン１３８のクリックに応じて、警告ウィンドウ１３６を非表示にするとともに、スピーカ１０９からの警告音を停止し、術者に対する報知を終了する。
【００７９】
一方、ＣＰＵ１３５は、鉗子口７０に挿通された処置具６０が当該検査に対応したものであると判定すると、内視鏡画像１２２のみが表示された状態（図１０（ａ）参照）を継続させ、術者に当該検査を実施させる。また、ＣＰＵ１３５は、対象患者に該当する禁忌情報１２０ｂが読み出されている場合、当該検査が終了されるまで、鉗子口７０に処置具６０が挿通される度に、上記の処理を繰り返す。
【００８０】
なお、本明細書では、実施形態を分けて説明したが、上記第１の実施形態と上記第２の実施形態とを組み合わせて、鉗子口７０に挿通された処置具６０の使用が禁止されているか否かの判定と、当該検査に対応したものか否かの判定とを同時に行なうようにしてもよい。これにより、対象患者に対して適正ではない処置具６０の使用、及び検査内容に対して適正ではない処置具６０の使用にともなう医療事故を確実に防止することができる。
【００８１】
また、上記各実施形態では、アイコン情報ＤＢ１１２、禁忌情報ＤＢ１１４、処置具情報ＤＢ１３２をＨＤＤ１０７、１３１に構築したが、各ＤＢ１１２、１１４、１３２は、これに限ることなく、例えば、電源が遮断されても記憶を保持する半導体メモリで構成された記憶装置でもよい。また、ＣＤやＤＶＤなどの記録メディア類やコンパクトフラッシュ（登録商標）やＳＤカードなどのメモリカード類に記憶させ読み出してもよい。さらに、ＬＡＮ２０に接続されるサーバなどに構築してもよい。また、上記各実施形態では、禁忌情報１２０ａや処置具情報１３３ａ、及び患者情報などの各情報の読み出しをＣＰＵ１０６、１３５に行なわせるようにしているが、これに限ることなく、各情報の読み出しを術者などに行なわせるようにしてもよい。
【００８２】
さらに、上記各実施形態では、ＡＭＰ１００とＣＤＳ／ＰＤＡ１０２及びＡ／Ｄ１０３をプロセッサ装置３２、１３０に含まれるとして示したが、電子内視鏡３０に含ませてもよい。また、ＡＭＰ１００とＣＤＳ／ＰＤＡ１０２及びＡ／Ｄ１０３を別途アダプターとして電子内視鏡３０やプロセッサ装置３２、１３０の外部に持たせてもよい。加えて、ＡＭＰ１００とＣＤＳ／ＰＤＡ１０２及びＡ／Ｄ１０３を分離して複数の装置に含ませてもよく、例えばＡＭＰ１００とＣＤＳ／ＰＤＡ１０２は電子内視鏡３０に含ませ、Ａ／Ｄ１０３はプロセッサ装置３２、１３０に含ませてもよい。また、ＡＭＰ１００が電子内視鏡３０に含まれ、ＣＤＳ／ＰＤＡ１０２とＡ／Ｄ１０３とがプロセッサ装置３２、１３０に含まれてもよい。
【００８３】
さらに、上記各実施形態では、タグリーダ８０をプロセッサ装置３２、１３０に含まれるとして示したが、プロセッサ装置３２、１３０の外部に持たせてもよい。
【００８４】
さらに、上記各実施形態では、ＣＰＵ１３５が禁忌情報ＤＢ１１４内の禁忌情報１２０ａを読み出し、ＣＰＵ１３５に置いた禁忌情報１２０ｂに基づいて制御することを示したが、読み出した禁忌情報１２０ｂの代わりに禁忌情報ＤＢ１１４内の禁忌情報１２０ａを用いてもよい。
【００８５】
さらに、上記各実施形態では、ＣＰＵ１３５が処置具情報ＤＢ１３２内の処置具情報１３３ａを読み出し、ＣＰＵ１３５に置いた処置具情報１３３ｂに基づいて制御することを示したが、読み出した処置具情報１３３ｂの代わりに処置具情報ＤＢ１３２内の処置具情報１３３ａを用いてもよい。
【００８６】
さらに、上記各実施形態では、検査予約管理サーバ１２にアクセスし、患者ＩＤや検査内容などを含む検査予約情報２４を読み出すことにより、これらの情報を取得するようにしているが、これに限ることなく、これらの情報を術者などに入力させるようにしてもよい。
【００８７】
なお、上記各実施形態では、１つの医療施設に構築される内視鏡検査システム２に本発明を適用した例を示したが、本発明は、これに限ることなく、例えば、複数台の内視鏡検査装置１０を有する地域の中核病院と他の病院や診療所をインターネットで接続し、他の病院や診療所から中核病院に検査予約を申し込めるようにするといったように、複数の医療施設をネットワーク接続することにより構築されるシステムに適用してもよい。また、上記各実施形態では、内視鏡検査装置１０を検査支援装置として示したが、検査支援装置は、これに限ることなく、内視鏡検査装置１０とは別の装置として構成してもよい。
【図面の簡単な説明】
【００８８】
【図１】内視鏡検査システムの構成を概略的に示す説明図である。
【図２】内視鏡検査の検査予約の手順の一例を示す説明図である。
【図３】内視鏡検査装置の構成を概略的に示す正面図である。
【図４】トップトレイに処置具が載置された状態を示す斜視図である。
【図５】処置具の使用状態を示す説明図である。
【図６】ＲＦＩＤタグの構成を概略的に示す説明図である。
【図７】電子内視鏡とプロセッサとの電気的構成を概略的に示すブロック図である。
【図８】アイコン情報ＤＢの構成の一例を示す説明図である。
【図９】禁忌情報ＤＢの構成の一例を示す説明図である。
【図１０】内視鏡画像の表示例を示す説明図である。
【図１１】処置具の使用が禁止されているか否かの判定の手順を概略的に示す説明図である。
【図１２】処置具の使用が禁止されているか否かの判定を行なう処理の手順を概略的に示すフローチャートである。
【図１３】プロセッサに処置具情報ＤＢを設けた例を示すブロック図である。
【図１４】処置具情報ＤＢの構成の一例を示す説明図である。
【図１５】処置具が検査に対応したものか否かの判定の手順を概略的に示す説明図である。
【図１６】検査に対応しない処置具が挿入されたことを報知する警告ウィンドウを内視鏡画像上に表示した例を示す説明図である。
【図１７】処置具が検査に対応したものか否かの判定を行なう処理の手順を概略的に示すフローチャートである。
【符号の説明】
【００８９】
２  内視鏡検査システム
１０  内視鏡検査装置（検査支援装置）
１６  情報管理サーバ（患者情報記憶手段）
３０  電子内視鏡（内視鏡）
３６  モニタ（報知手段、処置具進入方向報知手段）
６０  処置具
７０  鉗子口
７８  ＲＦＩＤタグ（種別情報記憶手段）
８０  タグリーダ（読取手段）
９０  ＣＣＤ（撮像素子）
９２  ＲＯＭ（識別情報記憶手段）
９４  スコープ識別情報
１０６、１３５  ＣＰＵ（判定手段）
１０９  スピーカ（報知手段）
１１４  禁忌情報ＤＢ（禁忌情報記憶手段）
１１６  アイコン
１３２  処置具情報ＤＢ（処置具情報記憶手段）
【図１】
2009195623.tif 000003
【図２】
2009195623.tif 000004
【図３】
2009195623.tif 000005
【図４】
2009195623.tif 000006
【図５】
2009195623.tif 000007
【図６】
2009195623.tif 000008
【図７】
2009195623.tif 000009
【図８】
2009195623.tif 000010
【図９】
2009195623.tif 000011
【図１０】
2009195623.tif 000012
【図１１】
2009195623.tif 000013
【図１２】
2009195623.tif 000014
【図１３】
2009195623.tif 000015
【図１４】
2009195623.tif 000016
【図１５】
2009195623.tif 000017
【図１６】
2009195623.tif 000018
【図１７】
2009195623.tif 000019